(57)【要約】【課題】光ファイバ心線と光ファイバコードとの余長収納スペースを小さくすることができる融着トレイを提供する。【解決手段】融着トレイ１は長円型の底板１ａの全周に周壁１ｂが立ち上げ形成され、周壁１ｂの内周に光ファイバ心線２を収納し、周壁１ｂの外周に光ファイバコード３を収納するようになっており、上面は開口１ｃとなっている。周壁１ｂは高さ方向が２分割されて一方が凹まされ、光ファイバコード３の収納部１ｄとなっており、他方が光ファイバ心線２の収納部１ｅとなっている。また、周壁１ｂには適宜間隔で光ファイバを入出線できるように入出線部を切り欠いている。【選択図】        図２
2004184631.tif 000002
【特許請求の範囲】
【請求項１】
光ファイバの融着部を収納するための融着トレイにおいて、該融着トレイの周壁の内周に光ファイバ心線を収納可能にすると共に、前記融着トレイの周壁の外周に光ファイバコードを収納可能にしたことを特徴とする融着トレイ。
【請求項２】
前記融着トレイの周壁の高さ方向を２分割して一方を凹ませ、前記光ファイバコードの収納部としたことを特徴とする請求項１に記載の融着トレイ。
【請求項３】
前記光ファイバコードの収納部を前記融着トレイの上面開口側の周壁に形成し、前記光ファイバ心線の収納部を前記融着トレイの底面側の周壁に形成したことを特徴とする請求項２に記載の融着トレイ。
【請求項４】
前記融着トレイの周壁の外面端部に前記光ファイバコードの脱落を防止するための脱落防止手段を設けたことを特徴とする請求項１乃至請求項３の何れかに記載の融着トレイ。
【発明の詳細な説明】
【０００１】
【発明の属する技術分野】
本発明は、光ファイバの融着部を収納するための融着トレイの構造に関する。
【０００２】
【従来の技術】
従来の融着トレイは、光ファイバ心線の融着部を融着トレイの中央に配設した固定部材に保持し、光ファイバ心線の余長はループ状にして融着トレイの周壁の内周に収納していた。また、光ファイバ心線を数本束ねた光ファイバコードの余長は融着トレイの近傍に設けられた余長収納部にループ状にまとめて保持していた。（例えば、特許文献１参照）
【０００３】
【特許文献１】
特開２０００−１９３８４３号公報（第２頁、第１図）
【０００４】
【発明が解決しようとする課題】
このように、従来の技術では光ファイバ心線の余長収納スペースと、光ファイバコードの余長収納スペースを必要とするため、光成端箱が大型化するという欠点があった。
【０００５】
そこで上記問題点に鑑み、本発明の目的は、光ファイバ心線と光ファイバコードとの余長収納スペースを小さくすることができる融着トレイを提供することである。
【０００６】
【課題を解決するための手段】
上記目的を達成するために、請求項１に記載の発明によれば、光ファイバの融着部を収納するための融着トレイにおいて、融着トレイの周壁の内周に光ファイバ心線を収納可能にすると共に、融着トレイの周壁の外周に光ファイバコードを収納可能にしたことを特徴とする。
【０００７】
請求項２に記載の発明によれば、請求項１に記載の融着トレイにおいて、融着トレイの周壁の高さ方向を２分割して一方を凹ませ、光ファイバコードの収納部としたことを特徴とする。
【０００８】
請求項３に記載の発明によれば、請求項２に記載の融着トレイにおいて、光ファイバコードの収納部を融着トレイの上面開口側の周壁に形成し、光ファイバ心線の収納部を融着トレイの底面側の周壁に形成したことを特徴とする。
【０００９】
請求項４に記載の発明によれば、請求項１乃至請求項３の何れかに記載の融着トレイにおいて、融着トレイの周壁の外面端部に光ファイバコードの脱落を防止するための脱落防止手段を設けたことを特徴とする。
【００１０】
【発明の実施の形態】
請求項１に記載の発明によれば、光ファイバの融着部を収納するための融着トレイにおいて、融着トレイの周壁の内周に光ファイバ心線を収納可能にすると共に、融着トレイの周壁の外周に光ファイバコードを収納可能にしたことにより、光ファイバ心線と光ファイバコードとの余長収納スペースを小さくすることができる。
【００１１】
請求項２に記載の発明によれば、請求項１に記載の融着トレイにおいて、融着トレイの周壁の高さ方向を２分割して一方を凹ませ、光ファイバコードの収納部としたことにより、融着トレイの外形を小さくすることができる。
【００１２】
請求項３に記載の発明によれば、請求項２に記載の融着トレイにおいて、光ファイバコードの収納部を融着トレイの上面開口側の周壁に形成し、光ファイバ心線の収納部を融着トレイの底面側の周壁に形成したことにより、光ファイバ心線が融着トレイから外に飛び出すのを防ぐことができる。
【００１３】
請求項４に記載の発明によれば、請求項１乃至請求項３の何れかに記載の融着トレイにおいて、融着トレイの周壁の外面端部に光ファイバコードの脱落を防止するための脱落防止手段を設けたことにより、融着トレイから光ファイバコードが飛び出さず、外観を損なわない。
【００１４】
【実施例】
本発明に係る融着トレイの第１実施例を図１〜図３の添付図面に基づいて説明する。
【００１５】
融着トレイ１は、長円形の底板１ａの全周に周壁１ｂが立ち上げ形成され、周壁１ｂの内周に光ファイバ心線２を収納し、周壁１ｂの外周に光ファイバコード３を収納するようになっており、上面は開口１ｃとなっている。
【００１６】
周壁１ｂは高さ方向が２分割されて一方が凹まされ、光ファイバコード３の収納部１ｄとなっており、他方が光ファイバ心線２の収納部１ｅとなっている。また、周壁１ｂには適宜間隔で光ファイバを入出線できるように入出線部１ｆを切り欠いている。
【００１７】
２本の光ファイバ心線２の接続は融着トレイ１の外で融着して行われ、融着部は融着トレイ１の略中央の左右両側に配設した融着ホルダ４に保持される。ここで発生した光ファイバ心線２の余長はループ状にして融着トレイ１の周壁１ｂの内周に収納される。
【００１８】
尚、光ファイバコード３の収納部１ｄを融着トレイ１の開口１ｃ側の周壁１ｂに形成し、光ファイバ心線２の収納部１ｅを融着トレイ１の底板１ａ側の周壁１ｂに形成することで、光ファイバコード３の収納部１ｄが融着トレイ１の内側に突出するので光ファイバ心線２が融着トレイ１から外に飛び出すのを防ぐことができる。
【００１９】
それから、光ファイバ心線２は融着トレイ１の入出線部１ｆから融着トレイ１の外側に出線され、数本の光ファイバ心線２を束ねた光ファイバコード３を融着トレイ１の周壁１ｂの外周の収納部１ｄに巻回して保持させる。
【００２０】
融着トレイ１は複数段に積層して設置することができ、最下段の融着トレイ１は光成端箱の背板６と樹脂で一体成型される。二段目以降の融着トレイ１は底板１ａの端部に下方向に突出した係合爪１ｇが形成され、下段の融着トレイ１の上端に係止可能になっている。最上段の融着トレイ１の上面開口１ｃは蓋（図示せず）等により施蓋する。
【００２１】
尚、融着トレイ１は光成端箱の背板６に設けられ、縦にした状態で使用されるため、光ファイバーコード３は自重によって融着トレイ１の周壁１ｂに係止して保持されるが、図４に示すように、融着トレイ１の周壁１ｂの外面端部に光ファイバコード３の脱落を防止するための脱落防止手段５を設けても良い。これにより融着トレイ１から光ファイバコード３が飛び出さず、また、外観を損なわない。
【００２２】
また、融着トレイ１の周壁１ｂは、例えば、図５に示すように断面略Ｔ字状に形成しても良いし、図６に示すように周壁が二重に形成された形状でも良く、融着トレイの周壁の構造について限定はなく、本発明の趣旨を逸脱しない範囲で適宜変更可能である。
【００２３】
また、融着トレイ１を光成端箱の背板６と一体に形成したが、レイアウト変更ができるように一体に形成しなくても良いし、融着トレイ１を積層するための構造についても限定はない。
【００２４】
【発明の効果】
以上説明したように、請求項１に記載の発明によれば、光ファイバの融着部を収納するための融着トレイにおいて、融着トレイの周壁の内周に光ファイバ心線を収納可能にすると共に、融着トレイの周壁の外周に光ファイバコードを収納可能にしたことにより、光ファイバ心線と光ファイバコードとを同一箇所に収納できるので光成端箱内の余長収納スペースを小さくすることができ、よって光成端箱を小型化することができるという効果がある。
【００２５】
請求項２に記載の発明によれば、請求項１に記載の融着トレイにおいて、融着トレイの周壁の高さ方向を２分割して一方を凹ませ、光ファイバコードの収納部としたことにより、光ファイバコードの収納部が外側に張り出さないので融着トレイの外形を小さくすることができるという効果がある。
【００２６】
請求項３に記載の発明によれば、請求項２に記載の融着トレイにおいて、光ファイバコードの収納部を融着トレイの上面開口側の周壁に形成し、光ファイバ心線の収納部を融着トレイの底面側の周壁に形成したことにより、光ファイバ心線が融着トレイから外に飛び出すのを防ぐことができるという効果がある。
【００２７】
請求項４に記載の発明によれば、請求項１乃至請求項３の何れかに記載の融着トレイにおいて、融着トレイの周壁の外面端部に光ファイバコードの脱落を防止するための脱落防止手段を設けたことにより、融着トレイから光ファイバコードが飛び出さず、外観を損なわないという効果がある。
【図面の簡単な説明】
【図１】本発明に係る融着トレイの平面図である。
【図２】図１のＡ−Ａ線断面図である。
【図３】図１のＢ−Ｂ線断面図である。
【図４】融着トレイの変形実施例を示す断面図である。
【図５】融着トレイの変形実施例を示す断面図である。
【図６】融着トレイの変形実施例を示す断面図である。
【符号の説明】
１…融着トレイ
１ｂ…周壁
１ｄ…光ファイバコードの収納部
１ｅ…光ファイバ接続部の収納部
２…光ファイバ心線
３…光ファイバコード
【図１】
2004184631.tif 000003
【図２】
2004184631.tif 000004
【図３】
2004184631.tif 000005
【図４】
2004184631.tif 000006
【図５】
2004184631.tif 000007
【図６】
2004184631.tif 000008